(57)【要約】【課題】漏れ電流値を測定できない電路が存在する場合でも漏電発生箇所を確実かつ容易に特定可能とする。【解決手段】漏電発生箇所の特定作業を支援する支援処理を実行する処理部１４が、基幹電路Ｌｍおよび分岐電路Ｌｂ１〜Ｌｂ３のうちの例えば電路Ｌｂ３についての漏れ電流値を測定できない検査対象Ｘについての支援処理において、電路Ｌｍについての漏れ電流値、電路Ｌｍ，Ｌｂ１〜Ｌｂ３のうちのいずれか１つについての電圧値、電路Ｌｂ３についての絶縁抵抗値、並びに電路Ｌｂ１，Ｌｂ２についての漏れ電流値を測定値としてそれぞれ取得する測定値取得処理と、取得した電圧値および絶縁抵抗値に基づいて電路Ｌｂ３についての漏れ電流値を演算する測定値演算処理と、電路Ｌｍ，Ｌｂ１〜Ｌｂ３についての漏れ電流値に基づいて漏電の発生箇所を特定する発生箇所特定処理と、漏電が発生している箇所を特定可能に報知する発生箇所報知処理とを実行する。【選択図】図１
2020046276.tif 000002
【特許請求の範囲】
【請求項１】
検査対象についての測定値に基づいて当該検査対象における漏電発生箇所の特定作業を支援する支援処理を実行する処理部を備えた支援装置であって、
前記処理部は、基幹電路および当該基幹電路から分岐した複数の分岐電路を有すると共に少なくとも１つの当該分岐電路についての漏れ電流値の測定を行うことができない前記検査対象についての前記支援処理において、
前記基幹電路についての漏れ電流値、当該基幹電路および前記複数の分岐電路のうちのいずれか１つについての電圧値、前記少なくとも１つの分岐電路についての絶縁抵抗値、並びに当該少なくとも１つの分岐電路を除く前記分岐電路についての漏れ電流値を前記測定値としてそれぞれ取得する測定値取得処理と、
前記いずれか１つについての電圧値および前記少なくとも１つの分岐電路についての絶縁抵抗値に基づいて当該少なくとも１つの分岐電路についての漏れ電流値を演算する測定値演算処理と、
前記基幹電路についての漏れ電流値および前記各分岐電路についての漏れ電流値に基づいて当該基幹電路および当該各分岐電路のいずれにおいて漏電が発生しているかを特定する発生箇所特定処理と、
漏電が発生している箇所を特定可能に報知する発生箇所報知処理とを実行可能に構成されている支援装置。
【請求項２】
前記処理部は、前記測定値取得処理において取得した前記基幹電路についての漏れ電流値が予め規定された値を下回っているときに、前記検査対象には漏電発生箇所が存在しないことを特定可能に報知して当該支援処理を終了する請求項１記載の支援装置。
【請求項３】
前記基幹電路についての漏れ電流値が記録された第１の測定値データ、当該基幹電路および前記複数の分岐電路のうちのいずれか１つについての電圧値が記録された第２の測定値データ、前記少なくとも１つの分岐電路についての絶縁抵抗値が記録された第３の測定値データ、並びに当該少なくとも１つの分岐電路を除く前記分岐電路についての漏れ電流値が記録された第４の測定値データを受信可能な測定値データ受信部を備え、
前記処理部は、前記測定値取得処理において、前記測定値データ受信部によって受信された前記各測定値データの値を前記測定値として取得する請求項１または２記載の支援装置。
【請求項４】
請求項３記載の支援装置と、前記検査対象についての測定処理を実行して生成した前記測定値データを前記支援装置に送信する測定装置とを備えている検査システム。
【請求項５】
検査対象についての測定値に基づいて当該検査対象における漏電発生箇所の特定作業を支援する支援処理を支援装置の処理部に実行させる支援処理用プログラムであって、
基幹電路および当該基幹電路から分岐した複数の分岐電路を有すると共に少なくとも１つの当該分岐電路についての漏れ電流値の測定を行うことができない前記検査対象についての前記支援処理において、
前記基幹電路についての漏れ電流値、当該基幹電路および前記複数の分岐電路のうちのいずれか１つについての電圧値、前記少なくとも１つの分岐電路についての絶縁抵抗値、並びに当該少なくとも１つの分岐電路を除く前記分岐電路についての漏れ電流値を前記測定値としてそれぞれ取得する測定値取得処理と、
前記いずれか１つについての電圧値および前記少なくとも１つの分岐電路についての絶縁抵抗値に基づいて当該少なくとも１つの分岐電路についての漏れ電流値を演算する測定値演算処理と、
前記基幹電路についての漏れ電流値および前記各分岐電路についての漏れ電流値に基づいて当該基幹電路および当該各分岐電路のいずれにおいて漏電が発生しているかを特定する発生箇所特定処理と、
漏電が発生している箇所を特定可能に報知する発生箇所報知処理とを前記処理部に実行させる支援処理用プログラム。
【発明の詳細な説明】
【技術分野】
【０００１】
本発明は、検査対象における漏電発生箇所の特定作業を支援可能な支援装置、そのような支援装置を備えた検査システム、および支援装置の処理部に支援処理を実行させる支援処理用プログラムに関するものである。
【背景技術】
【０００２】
下記の特許文献には、漏電電流を測定して報知可能に構成されたクランプ式無線漏電電流計（以下、単に「電流計」ともいう）の考案が開示されている。この電流計は、電線をクランプ可能なクランプ式電流検知コア（以下、「クランプセンサ」ともいう）と、クランプセンサに接続された測定部（検出信号をＡ／Ｄ変換処理を実行する変換部）とを備えている。また、この電流計は、異なる建屋（工場）内に設置された各種の対象物（電路）についての漏電検査、および測定値の読み取りが困難な対象物（暗所に設置されている対象物等）を対象とする漏電検査などを考慮した構成が採用されている。
【０００３】
具体的には、この電流計では、測定部からの出力信号の信号レベルが、レベル設定部からの出力信号の信号レベルを下回っている状態（漏電が発生していない正常状態）と、測定部からの出力信号の信号レベルが、レベル設定部からの出力信号の信号レベル以上の状態（漏電が発生している異常状態）とのいずれであるかが判別され、その判別結果を特定可能な信号が送信用無線部から既存のトランシーバーに対して送信される構成が採用されている。これにより、この電流計を使用した漏電検査時には、トランシーバーの受信信号をモニタリングする作業者を任意の作業場所に配置した状態において、他の作業者が異なる建屋内に設置されている各種の対象物（電路）についての電流計による測定作業を順次実行することにより、トランシーバーをモニタリングしている作業者に対して各対象物において漏電が発生しているか否かを特定させることが可能となっている。
【先行技術文献】
【特許文献】
【０００４】
【特許文献１】登録実用新案公報第３０５６３６８号（第５−１１頁、第１−３図）
【発明の概要】
【発明が解決しようとする課題】
【０００５】
ところが、上記特許文献に開示されている電流計には、以下のような解決すべき問題点が存在する。具体的には、上記特許文献に開示の電流計では、対象物をクランプした状態で測定される信号に基づいて漏電の有無が判別されて、その判別結果を示す信号が送信用無線部から既存のトランシーバーに対して送信される構成が採用されている。
【０００６】
一方、この種の装置による検査対象（電路）のなかには、壁部、天井部および床部などの内側に電線が埋設された状態となっているものが存在する。しかしながら、上記特許文献に開示の電流計では、そのような電路を対象とする漏電検査を行おうとしても、埋設されている電線をクランプセンサによってクランプすることができないため、漏電電流を測定することができない。また、電線が埋設されていなくても、他の電路の電線や回路部品等の存在に妨げられて測定対象の電線をクランプすることができないこともある。
【０００７】
一方、クランプセンサによる電線のクランプが困難な電路についての絶縁検査として、絶縁抵抗計などを用いて電線の絶縁抵抗値を測定することで漏電が発生する状態であるか否か（漏電が発生し得る絶縁状態であるか否か）を特定することができる。しかしながら、絶縁抵抗値の測定に際しては、対象とする電路を上流側で遮断して電力の供給を停止する必要がある。このため、稼働中の工場設備等を対象とする場合には、絶縁抵抗値の測定による絶縁検査、すなわち、電力供給の停止を必要とする検査を極力実施したくないため、漏れ電流の測定が可能な電路については、クランプ式電流計などを用いた漏れ電流の測定を行い、電線のクランプが困難な電路についてのみ、絶縁抵抗計などを用いた絶縁抵抗値の測定を行いたいという現状がある。
【０００８】
したがって、検査対象の電路のなかにクランプセンサによるクランプが困難な電路が存在する場合には、各電路についての測定結果として、漏れ電流値および絶縁抵抗値が混在した状態となる。このため、特に、漏電検査に不慣れな者にとっては、種類が異なる各種の測定結果に基づいて漏電の有無を判別するのが困難であり、いずれの電路で漏電が発生しているかを確実かつ容易に特定するのが困難となっている。
【０００９】
本発明は、かかる解決すべき問題点に鑑みてなされたものであり、漏れ電流値の測定を行うことができない電路が存在する場合でも、いずれの電路において漏電が発生しているかを確実かつ容易に特定可能とする支援装置、検査システムおよび支援処理用プログラムを提供することを主目的とする。
【課題を解決するための手段】
【００１０】
上記目的を達成すべく、請求項１記載の支援装置は、検査対象についての測定値に基づいて当該検査対象における漏電発生箇所の特定作業を支援する支援処理を実行する処理部を備えた支援装置であって、前記処理部は、基幹電路および当該基幹電路から分岐した複数の分岐電路を有すると共に少なくとも１つの当該分岐電路についての漏れ電流値の測定を行うことができない前記検査対象についての前記支援処理において、前記基幹電路についての漏れ電流値、当該基幹電路および前記複数の分岐電路のうちのいずれか１つについての電圧値、前記少なくとも１つの分岐電路についての絶縁抵抗値、並びに当該少なくとも１つの分岐電路を除く前記分岐電路についての漏れ電流値を前記測定値としてそれぞれ取得する測定値取得処理と、前記いずれか１つについての電圧値および前記少なくとも１つの分岐電路についての絶縁抵抗値に基づいて当該少なくとも１つの分岐電路についての漏れ電流値を演算する測定値演算処理と、前記基幹電路についての漏れ電流値および前記各分岐電路についての漏れ電流値に基づいて当該基幹電路および当該各分岐電路のいずれにおいて漏電が発生しているかを特定する発生箇所特定処理と、漏電が発生している箇所を特定可能に報知する発生箇所報知処理とを実行可能に構成されている。
【００１１】
また、請求項２記載の支援装置は、請求項１記載の支援装置において、前記処理部は、前記測定値取得処理において取得した前記基幹電路についての漏れ電流値が予め規定された値を下回っているときに、前記検査対象には漏電発生箇所が存在しないことを特定可能に報知して当該支援処理を終了する。
【００１２】
さらに、請求項３記載の支援装置は、請求項１または２記載の支援装置において、前記基幹電路についての漏れ電流値が記録された第１の測定値データ、当該基幹電路および前記複数の分岐電路のうちのいずれか１つについての電圧値が記録された第２の測定値データ、前記少なくとも１つの分岐電路についての絶縁抵抗値が記録された第３の測定値データ、並びに当該少なくとも１つの分岐電路を除く前記分岐電路についての漏れ電流値が記録された第４の測定値データを受信可能な測定値データ受信部を備え、前記処理部は、前記測定値取得処理において、前記測定値データ受信部によって受信された前記各測定値データの値を前記測定値として取得する。
【００１３】
また、請求項４記載の検査システムは、請求項３記載の支援装置と、前記検査対象についての測定処理を実行して生成した前記測定値データを前記支援装置に送信する測定装置とを備えている。
【００１４】
また、請求項５記載の支援処理用プログラムは、検査対象についての測定値に基づいて当該検査対象における漏電発生箇所の特定作業を支援する支援処理を支援装置の処理部に実行させる支援処理用プログラムであって、基幹電路および当該基幹電路から分岐した複数の分岐電路を有すると共に少なくとも１つの当該分岐電路についての漏れ電流値の測定を行うことができない前記検査対象についての前記支援処理において、前記基幹電路についての漏れ電流値、当該基幹電路および前記複数の分岐電路のうちのいずれか１つについての電圧値、前記少なくとも１つの分岐電路についての絶縁抵抗値、並びに当該少なくとも１つの分岐電路を除く前記分岐電路についての漏れ電流値を前記測定値としてそれぞれ取得する測定値取得処理と、前記いずれか１つについての電圧値および前記少なくとも１つの分岐電路についての絶縁抵抗値に基づいて当該少なくとも１つの分岐電路についての漏れ電流値を演算する測定値演算処理と、前記基幹電路についての漏れ電流値および前記各分岐電路についての漏れ電流値に基づいて当該基幹電路および当該各分岐電路のいずれにおいて漏電が発生しているかを特定する発生箇所特定処理と、漏電が発生している箇所を特定可能に報知する発生箇所報知処理とを前記処理部に実行させる。
【発明の効果】
【００１５】
請求項１記載の支援装置では、処理部が、少なくとも１つの分岐電路についての漏れ電流値の測定を行うことができない検査対象についての漏電発生箇所の特定作業を支援する支援処理において、基幹電路についての漏れ電流値、基幹電路および各分岐電路のうちのいずれか１つについての電圧値、少なくとも１つの分岐電路についての絶縁抵抗値、並びに少なくとも１つの分岐電路を除く分岐電路についての漏れ電流値を測定値としてそれぞれ取得する測定値取得処理と、上記のいずれか１つについての電圧値および少なくとも１つの分岐電路についての絶縁抵抗値に基づいて少なくとも１つの分岐電路についての漏れ電流値を演算する測定値演算処理と、基幹電路についての漏れ電流値および各分岐電路についての漏れ電流値に基づいて基幹電路および各分岐電路のいずれにおいて漏電が発生しているかを特定する発生箇所特定処理と、漏電が発生している箇所を特定可能に報知する発生箇所報知処理とを実行可能に構成されている。また、請求項５記載の支援処理用プログラムでは、上記の各処理を支援装置の処理部に実行させる。
【００１６】
したがって、請求項１記載の支援装置、そのような支援装置を備えた検査システム、および請求項５記載の支援処理用プログラムによれば、漏れ電流値の測定を行うことができない分岐電路が存在する検査対象についても、その分岐電路については、絶縁抵抗値を測定可能な測定装置によって絶縁抵抗値を測定することで、上記のいずれか１つについての電圧値、および分岐電路についての絶縁抵抗値に基づいて通電状態において測定され得る漏れ電流値が演算されるため、種類が相違する測定値（漏れ電流値および絶縁抵抗値）が混在した状態での漏電発生箇所の特定を行う必要がなくなり、検査対象において漏電が発生しているか否かや、どの程度の漏電が発生しているかなどを容易に特定することができる。これにより、漏電検査に不慣れな作業者であっても、検査対象において漏電が発生しているかや、いずれの電路で漏電が発生しているかを確実かつ容易に特定することができる。
【００１７】
請求項２記載の支援装置では、処理部が、測定値取得処理において取得した基幹電路についての漏れ電流値が予め規定された値を下回っているときに、検査対象には漏電発生箇所が存在しないことを特定可能に報知して支援処理を終了する。したがって、請求項２記載の支援装置、そのような支援装置を備えた検査システム、およびそのような処理を処理部に実行させる支援処理用プログラムによれば、漏電が発生していない状態で実施されることの方が多い漏電検査において、不要な測定処理を行うことなく、正常状態であることを確実かつ容易に特定することができる。
【００１８】
請求項３記載の支援装置では、基幹電路についての漏れ電流値が記録された第１の測定値データ、上記のいずれか１つについての電圧値が記録された第２の測定値データ、少なくとも１つの分岐電路についての絶縁抵抗値が記録された第３の測定値データ、および少なくとも１つの分岐電路を除く分岐電路についての漏れ電流値が記録された第４の測定値データを受信可能な測定値データ受信部を備え、処理部が、測定値取得処理において、測定値データ受信部によって受信された各測定値データの値を測定値として取得する。また、請求項４記載の検査システムでは、上記の支援装置と、検査対象についての測定処理を実行して測定値データを生成して支援装置に送信する測定装置とを備えている。
【００１９】
したがって、請求項３記載の支援装置、請求項４記載の検査システム、およびそのような処理を処理部に実行させる支援処理用プログラムによれば、測定装置による測定結果を読み取って支援装置に手作業で数値入力する処理形態とは異なり、数値の誤入力に起因して本来の測定値とは異なる測定値が取得されることがないため、漏電が発生していない電路が漏電発生箇所と特定されたり、漏電が発生している電路が正常（漏電が発生していない）と特定されたりする事態を好適に回避し、いずれの電路でどの程度の漏電が発生しているかを一層正確かつ一層容易に特定することができる。
【図面の簡単な説明】
【００２０】
【図１】検査システム１００（携帯情報端末１および測定装置２，３）の構成を示す構成図である。
【発明を実施するための形態】
【００２１】
以下、支援装置、検査システムおよび支援処理用プログラムの実施の形態について、添付図面を参照して説明する。
【００２２】
図１に示す検査システム１００は、「検査システム」に相当し、一例として、携帯情報端末１および測定装置２，３を備えて構成されている。
【００２３】
なお、以下の説明においては、本願発明についての理解を容易とするために、一例として、基幹電路Ｌｍ、この基幹電路Ｌｍから分岐した分岐電路Ｌｂ１〜Ｌｂ３（以下、区別しないときには「分岐電路Ｌｂ」ともいう）からなる検査対象Ｘを「検査対象」として、基幹電路Ｌｍおよび各分岐電路Ｌｂ（以下、これらを区別しないときには「電路Ｌ」ともいう）を対象とする漏電検査を実施するものとする。この場、分岐電路Ｌｂ１〜Ｌｂ３には、接断スイッチＳｗ１〜Ｓｗ３がそれぞれ配設されると共に、負荷Ｌｃ１〜Ｌｃ３がそれぞれ接続されている。また、分岐電路Ｌｂ３は、「漏れ電流値の測定を行うことができない分岐電路」の一例であって、同図における破線の部位が壁部内等に埋設されて「クランプ式電流計のクランプセンサ」によるクランプが困難となっている。
【００２４】
一方、携帯情報端末１は、「支援装置」に相当し、一例として、支援処理用プログラムＤｐ（「支援処理用プログラム」の一例）をインストールした既存のタブレット端末やスマートフォンで構成されている。なお、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００２５】
この場合、本例の検査システム１００における携帯情報端末１は、一例として、タブレット端末で構成されており、通信部１１、操作部１２、表示部１３、処理部１４および記憶部１５を備えている。なお、実際の携帯情報端末１は、上記の各構成要素１１〜１５の他に、「タブレット端末」としての機能を実現するための各種の構成要素を備えているが、本願発明についての理解を容易とするために、これらの構成要素についての図示および説明を省略する。
【００２６】
通信部１１は、「測定値データ受信部」の一例であって、本例の携帯情報端末１（検査システム１００）では、ブルートゥース（Bluetooth ：登録商標）規格などの近距離無線通信規格に準ずる無線通信が可能な無線通信モジュールを備え、測定装置２，３などの外部機器（ブルートゥース対応機器）との間で各種のデータを送受信可能に構成されている。具体的には、通信部１１は、後述するように、測定装置２から送信される電流値データＤａや測定装置３から送信される抵抗値データＤｒおよび電圧値データＤｖなどを受信して処理部１４に出力する。
【００２７】
操作部１２は、一例として、表示部１３の前面側に配設されたタッチパネルや、携帯情報端末１を「タブレット端末」としての機能させるための各種の操作スイッチを備え、操作に応じた操作信号を処理部１４に出力する。表示部１３は、一例として液晶表示パネルを備え、表示部１３の制御に従い、支援条件設定画面や絶縁検査作業支援画面などの各種の表示画面（図示せず）を表示する。
【００２８】
処理部１４は、「処理部」の一例であって、携帯情報端末１を総括的に制御すると共に、支援処理用プログラムＤｐに従い、検査対象Ｘ等における漏電発生箇所の特定作業を支援する支援処理を実行する。
【００２９】
具体的には、処理部１４は、後述するように検査対象Ｘについての各電路Ｌの状態（基幹電路Ｌｍから幾つの分岐電路Ｌｂが分岐されているかや、漏れ電流を測定することができない分岐電路Ｌｂが存在するかなど）が作業者によって指定されたときに、指定された情報に基づいて検査用データＤ０を生成して記憶部１５に記憶させる。また、処理部１４は、漏れ電流値の測定を行うことができない分岐電路Ｌｂ３が存在する検査対象Ｘについての支援処理において、基幹電路Ｌｍについての漏れ電流値、基幹電路Ｌｍおよび各分岐電路Ｌｂのうちのいずれか１つ（一例として、基幹電路Ｌｍ）についての電圧値、分岐電路Ｌｂ３（「少なくとも１つの分岐電路」の一例）についての絶縁抵抗値、並びに分岐電路Ｌｂ１，Ｌｂ２（「少なくとも１つの分岐電路を除く分岐電路」の一例）についての漏れ電流値を「測定値」としてそれぞれ取得する測定値取得処理を実行する。
【００３０】
この場合、本例の検査システム１００における携帯情報端末１（支援処理用プログラムＤｐ）では、後述するように、基幹電路Ｌｍについての漏れ電流値が測定されて測定装置２から送信される電流値データＤａ（「第１の測定値データ」の一例）、各電路Ｌのうちのいずれか１つについての電圧値が測定されて測定装置３から送信される電圧値データＤｖ（「第２の測定値データ」の一例）、分岐電路Ｌｂ３についての絶縁抵抗値が測定されて測定装置３から送信される抵抗値データＤｒ（「第３の測定値データ」の一例、および分岐電路Ｌｂ１，Ｌｂ２についての漏れ電流値が測定されて測定装置２から送信される電流値データＤａ（「第４の測定値データ」の一例）が通信部１１によって受信されたときに、処理部１４が、これらのデータＤａ，Ｄｖ，Ｄｒの値を「測定値」として取得する処理を測定値取得処理として実行する。
【００３１】
また、処理部１４は、測定値取得処理において取得した基幹電路Ｌｍについての漏れ電流値（基幹電路Ｌｍについての電流値データＤａの値）が予め規定された値を下回っているときには、検査対象Ｘには漏電発生箇所が存在しないことを特定可能に報知して支援処理を終了する。さらに、処理部１４は、基幹電路Ｌｍについての漏れ電流値が予め規定された値以上のときには、各電路Ｌのうちのいずれか１つについての電圧値（一例として、基幹電路Ｌｍについての電圧値データＤｖの値）、および分岐電路Ｌｂ３についての絶縁抵抗値（分岐電路Ｌｂ３についての抵抗値データＤｒの値）に基づいて分岐電路Ｌｂ３についての漏れ電流値を演算する測定値演算処理を実行する。
【００３２】
また、処理部１４は、基幹電路Ｌｍについての漏れ電流値（基幹電路Ｌｍについての電流値データＤａの値）、分岐電路Ｌｂ１，Ｌｂ２についての漏れ電流値（分岐電路Ｌｂ１，Ｌｂ２についての電流値データＤａの値）、および分岐電路Ｌｂ３についての漏れ電流値（測定値演算処理によって演算した漏れ電流値）に基づいて基幹電路Ｌｍおよび各分岐電路Ｌｂのいずれにおいて漏電が発生しているかを特定する発生箇所特定処理を実行する。さらに、処理部１４は、発生箇所特定処理において漏電が発生していると特定した箇所を特定可能に報知する発生箇所報知処理を実行する。また、処理部１４は、各電路Ｌについての検査結果に基づいて検査結果データＤ１を生成して記憶部１５に記憶させる。なお、処理部１４による上記の各処理の具体的な内容については、後に詳細に説明する。
【００３３】
記憶部１５は、携帯情報端末１の内蔵メモリであって、支援処理用プログラムＤｐを記憶すると共に、処理部１４によって生成される検査用データＤ０および検査結果データＤ１や、測定装置２から送信されて通信部１１によって受信された電流値データＤａ、測定装置３から送信されて通信部１１によって受信された電圧値データＤｖおよび抵抗値データＤｒなどを記憶する。なお、支援処理用プログラムＤｐの一部や、検査用データＤ０、電流値データＤａ、電圧値データＤｖ、抵抗値データＤｒおよび検査結果データＤ１については、記憶部１５に代えて、携帯情報端末１に装着されるリムーバブルメモリに記憶させることもできる。
【００３４】
測定装置２は、「測定装置」の一例であって、電路Ｌの電線などの測定対象導線をクランプ可能なクランプセンサ２ａを備え、測定対象導線を流れている電流の電流値を測定して測定結果を示す電流値データＤａを生成することができるように構成されている。また、測定装置３は、「測定装置」の他の一例であって、電路Ｌの電線などの測定対象導体に接続可能な一対のテストリード３ａを備え、測定対象導体に印加されている電圧の電圧値を測定して電圧値データＤｖを生成したり、測定対象導体における両テストリード３ａの接触部位間の抵抗値を測定して電圧値データＤｖを生成したりすることができるように構成されている。
【００３５】
この場合、両測定装置２，３は、前述した携帯情報端末１の通信部１１と同様にしてブルートゥース等の近距離無線通信規格に準ずる無線通信が可能な通信アダプタで構成された通信部を備え（図示せず）、前述した携帯情報端末１などの外部機器（ブルートゥース対応機器）との間で各種のデータを送受信可能に構成されている。具体的には、本例の検査システム１００では、測定装置２が携帯情報端末１に対して電流値データＤａを送信すると共に、測定装置３が携帯情報端末１に対して電圧値データＤｖおよび抵抗値データＤｒを送信することができるように構成されている。
【００３６】
次に、検査システム１００を用いた検査対象Ｘについての漏電検査について、添付図面を参照して説明する。
【００３７】
なお、実際の検査システム１００では、測定装置２，３以外の各種の「測定装置」を使用した測定作業、および測定作業の支援処理を実行することができるが、発明についての理解を容易とするために、携帯情報端末１および測定装置２，３を備えて検査システム１００を構成し、これらを使用して漏電検査を行う例について説明する。また、携帯情報端末１への支援処理用プログラムＤｐのインストールや、携帯情報端末１と測定装置２，３との間のブルートゥースのペアリング等については既に完了しているものとし、それらの作用に関する説明を省略する。
【００３８】
まず、携帯情報端末１において支援処理用プログラムＤｐを起動して、検査対象Ｘにおける各電路Ｌの状態などについて設定（事前登録）する作業を実施する。具体的には、上記の検査対象Ｘについての漏電検査に際しては、操作部１２を操作することにより、支援条件設定画面を表示部１３に表示させ（図示せず）、「基幹電路Ｌｍから分岐電路Ｌｂ１〜Ｌｂ３の３つの電路Ｌが分岐している」との事項、「分岐電路Ｌｂ３についての漏れ電流の測定を行うことができない」との事項、および「［基幹電路および各分岐電路のうちのいずれか１つ］として基幹電路Ｌｍについての電圧値を測定する」との事項を登録する。また、必要に応じて「漏電が発生していると判別する漏れ電流値のしきい値」を調整（登録）する。
【００３９】
なお、電圧値を測定する電路Ｌについては、基幹電路Ｌｍに限定されず、各分岐電路Ｌｂのうちのいずれか１つについての電圧値を測定するよう登録することもできる。また、上記の登録作業時には、一例として、基幹電路Ｌｍを「基幹電路」と登録し、分岐電路Ｌｂ１を「分岐電路１」と登録し、分岐電路Ｌｂ２を「分岐電路２」と登録し、かつ分岐電路Ｌｂ３を「分岐電路３」と登録したものとする。これに応じて、処理部１４は、支援処理用プログラムＤｐに従い、作業者によって登録された事項を記録した検査用データＤ０を生成し、生成した検査用データＤ０を記憶部１５に記憶させる。これにより、漏電検査を開始する準備が整う。
【００４０】
この検査システム１００は、トランシーバーをモニタリングする作業者、および電流計によって測定作業を実施する作業者などの複数の作業者による漏電検査を想定した上記特許文献に開示の電流計を用いた絶縁検査とは異なり、以下に説明するように携帯情報端末１の表示部１３に表示される情報を参照しつつ、測定作業および漏電発生箇所の特定作業を一人で実施することが可能となっている。
【００４１】
具体的には、上記のような事前登録の作業が完了した状態の携帯情報端末１において支援処理用プログラムＤｐを起動させて、「支援処理の開始」を指示する操作ボタンを操作する。これに応じて、処理部１４は、支援処理用プログラムＤｐおよび検査用データＤ０に基づき、絶縁検査作業支援画面を表示部１３に表示させると共に（図示せず）、一例として、「基幹電路についての漏れ電流値を測定して下さい。」とのメッセージを表示させ、かつ表示画面中の「基幹電路Ｌｍについての漏れ電流値の入力欄」に文字入力カーソルを点滅表示させるなどして漏れ電流値の入力を要求する（図示せず）。
【００４２】
このようなメッセージや文字入力カーソルの点滅表示を見た作業者は、接断スイッチＳｗ１〜Ｓｗ３のすべてをオン状態に切り替える（漏電検査対象の全体が基幹電路Ｌｍに接続された状態にする）と共に、漏れ電流の測定モードに切り替えた測定装置２のクランプセンサ２ａによって基幹電路Ｌｍをクランプして測定処理を実行する。これにより、測定装置２によって測定された基幹電路Ｌｍについての漏れ電流値を特定可能な電流値データＤａが測定装置２から送信されて携帯情報端末１の通信部１１によって受信される。
【００４３】
また、携帯情報端末１では、処理部１４が、通信部１１によって受信された電流値データＤａを記憶部１５に記憶させると共に、その電流値データＤａに基づき、基幹電路Ｌｍにおいて測定された漏れ電流値を特定して「基幹電路Ｌｍについての漏れ電流値の入力欄」に数値入力して表示させる。なお、本例の検査システム１００（携帯情報端末１および支援処理用プログラムＤｐ）では、測定装置２から携帯情報端末１に電流値データＤａを送信させて取得する上記の作業方法に代えて、測定装置２等の「漏れ電流測定装置」によって測定された漏れ電流値を、操作部１２の操作によって「基幹電路Ｌｍについての漏れ電流値の入力欄」に数値入力する作業方法を採用することもできる。
【００４４】
次いで、処理部１４は、電流値データＤａに基づいて特定した漏れ電流値（または、入力欄に数値入力された漏れ電流値）が、予め規定された値（検査用データＤ０に記録されているしきい値）を下回っているか否かを判別する。この際に、検査対象Ｘの各電路Ｌにおいて漏電が発生しておらず、上記の電流値データＤａに基づいて特定した漏れ電流値がしきい値を下回っているときには、処理部１４は、一例として、「基幹電路およびその分岐電路では漏電が発生していません。」とのメッセージを表示部１３に表示させて（「検査対象には漏電発生箇所が存在しないことを特定可能に報知する」との処理の一例）、支援処理を終了する。
【００４５】
一方、上記の電流値データＤａに基づいて特定した漏れ電流値がしきい値以上のときには、処理部１４は、検査対象Ｘを構成する各電路Ｌのいずれかにおいて漏電が発生していると判別する。この際に、分岐電路Ｌｂ３についての漏れ電流値を測定することができないと事前登録されている本例では、処理部１４が、一例として、「基幹電路についての電圧値を測定して下さい。」とのメッセージを表示部１３に表示させると共に、表示画面中の「基幹電路Ｌｍについての電圧値の入力欄」に文字入力カーソルを点滅表示させるなどして電圧値の入力を要求する（図示せず）。
【００４６】
このようなメッセージや文字入力カーソルの点滅表示を見た作業者は、電圧の測定モードに切り替えた測定装置３のテストリード３ａを基幹電路Ｌｍに接触させて測定処理を実行する。これにより、測定装置３によって測定された基幹電路Ｌｍについての電圧値を特定可能な電圧値データＤｖが測定装置３から送信されて携帯情報端末１の通信部１１によって受信される。
【００４７】
また、携帯情報端末１では、処理部１４が、通信部１１によって受信された電圧値データＤｖを記憶部１５に記憶させると共に、その電圧値データＤｖに基づき、基幹電路Ｌｍにおいて測定された電圧値を特定して「基幹電路Ｌｍについての電圧値の入力欄」に数値入力して表示させる。なお、前述の基幹電路Ｌｍについての漏れ電流値を取得したときと同様にして、測定装置３等の「電圧測定装置」によって測定された電圧値を、操作部１２の操作によって「基幹電路Ｌｍについての電圧値の入力欄」に数値入力する作業方法を採用することもできる。
【００４８】
次いで、処理部１４は、一例として、「分岐電路１についての漏れ電流値を測定して下さい。」とのメッセージを表示部１３に表示させると共に、表示画面中の「分岐電路Ｌｂ１についての漏れ電流値の入力欄」に文字入力カーソルを点滅表示させるなどして漏れ電流値の入力を要求する（図示せず）。このようなメッセージや文字入力カーソルの点滅表示を見た作業者は、測定装置２のクランプセンサ２ａによって分岐電路Ｌｂ１をクランプして測定処理を実行する。これにより、測定装置２によって測定された分岐電路Ｌｂ１についての漏れ電流値を特定可能な電流値データＤａが測定装置２から送信されて携帯情報端末１の通信部１１によって受信される。
【００４９】
また、携帯情報端末１では、処理部１４が、通信部１１によって受信された電流値データＤａを記憶部１５に記憶させると共に、その電流値データＤａに基づき、分岐電路Ｌｂ１において測定された漏れ電流値を特定して「分岐電路Ｌｂ１についての漏れ電流値の入力欄」に数値入力して表示させる。なお、上記の各例と同様にして、測定装置２等の「漏れ電流測定装置」によって測定された漏れ電流値を、操作部１２の操作によって「分岐電路Ｌｂ１についての漏れ電流値の入力欄」に数値入力する作業方法を採用することもできる。
【００５０】
続いて、処理部１４は、基幹電路Ｌｍについて測定された漏れ電流値と、分岐電路Ｌｂ１について測定された漏れ電流値とを比較する。この際に、基幹電路Ｌｍおよび分岐電路Ｌｂ２，Ｌｂ３において漏電が発生していない状態で分岐電路Ｌｂ１において漏電が発生しているときには、分岐電路Ｌｂ１についての漏れ電流値が基幹電路Ｌｍについての漏れ電流値と一致（または、ほぼ同程度の値）となる。したがって、処理部１４は、分岐電路Ｌｂ１についての漏れ電流値が、基幹電路Ｌｍについての漏れ電流値に対する予め規定された範囲内の値のときに、分岐電路Ｌｂ１において漏電が発生していると特定する（「発生箇所特定処理」の一例）。この際に、処理部１４は、支援処理用プログラムＤｐに従い、一例として「分岐電路１において漏電が発生しています。」とのメッセージを表示部１３に表示させ（「発生箇所報知処理」の一例）、漏電発生箇所の特定作業を支援する支援処理を終了する。
【００５１】
また、分岐電路Ｌｂ１において漏電が発生していない状態で基幹電路Ｌｍおよび分岐電路Ｌｂ２，Ｌｂ３のいずれかにおいて漏電が発生しているときには、分岐電路Ｌｂ１についての漏れ電流値が、基幹電路Ｌｍについての漏れ電流値に対する予め規定された範囲よりも小さな値で、正常時に測定され得る電流値の範囲（正常値範囲）内の値となる。この際に、処理部１４は、分岐電路Ｌｂ１において漏電が発生していないと特定し、一例として、「分岐電路２についての漏れ電流値を測定して下さい。」とのメッセージを表示部１３に表示させると共に、表示画面中の「分岐電路Ｌｂ２についての漏れ電流値の入力欄」に文字入力カーソルを点滅表示させるなどして漏れ電流値の入力を要求する（図示せず）。
【００５２】
また、分岐電路Ｌｂ１において漏電が発生しているだけでなく、基幹電路Ｌｍおよび分岐電路Ｌｂ２，Ｌｂ３のいずれかにおいても漏電が発生しているときには、分岐電路Ｌｂ１についての漏れ電流値が、基幹電路Ｌｍについての漏れ電流値に対する予め規定された範囲よりも小さな値となるものの、正常時に測定され得る電流値の範囲（正常値範囲）よりも大きな値となる。この際に、処理部１４は、分岐電路Ｌｂ１において漏電が発生していると特定する（「発生箇所特定処理」の他の一例）と共に、「分岐電路１において漏電が発生しています。」とのメッセージを表示部１３に表示させる（「発生箇所報知処理」の他の一例）。また、処理部１４は、一例として、作業者によって「確認ボタン」が操作されたときに、上記のメッセージに代えて、「分岐電路２についての漏れ電流値を測定して下さい。」とのメッセージを表示部１３に表示させると共に、表示画面中の「分岐電路Ｌｂ２についての漏れ電流値の入力欄」に文字入力カーソルを点滅表示させるなどして漏れ電流値の入力を要求する（図示せず）。
【００５３】
なお、分岐電路Ｌｂ２についての漏れ電流値の測定を要求するメッセージが表示部１３に表示された時点以降の処理については、分岐電路Ｌｂ１についての漏れ電流値の測定を要求するメッセージが表示部１３に表示された時点以降の上記の各処理と同様のため、詳細な説明を省略するが、分岐電路Ｌｂ２についての漏れ電流値が基幹電路Ｌｍについての漏れ電流値に対する予め規定された範囲内の値のとき（分岐電路Ｌｂ２のみで漏電が発生していたとき）、および分岐電路Ｌｂ１についての漏れ電流値と分岐電路Ｌｂ２についての漏れ電流値との合計値が基幹電路Ｌｍについての漏れ電流値に対する予め規定された範囲内の値のとき（分岐電路Ｌｂ１，Ｌｂ２の２箇所だけで漏電が発生していたとき）を除き、分岐電路Ｌｂ３についての測定処理を要求する。
【００５４】
具体的には、処理部１４は、一例として、「分岐電路３についての絶縁抵抗値を測定して下さい。」とのメッセージを表示部１３に表示させると共に、表示画面中の「分岐電路Ｌｂ３についての絶縁抵抗値の入力欄」に文字入力カーソルを点滅表示させるなどして絶縁抵抗値の入力を要求する（図示せず）。このようなメッセージや文字入力カーソルの点滅表示を見た作業者は、接断スイッチＳｗ３をオフ状態に切り替えた後に、測定装置３のテストリード３ａを分岐電路Ｌｂ３の電線に接続して絶縁抵抗値の測定処理を実行する。これにより、測定装置３によって測定された分岐電路Ｌｂ３についての絶縁抵抗値を特定可能な抵抗値データＤｒが測定装置３から送信されて携帯情報端末１の通信部１１によって受信される。
【００５５】
また、携帯情報端末１では、処理部１４が、通信部１１によって受信された抵抗値データＤｒを記憶部１５に記憶させると共に、その抵抗値データＤｒに基づき、分岐電路Ｌｂ３において測定された絶縁抵抗値を特定して「分岐電路Ｌｂ３についての絶縁抵抗値の入力欄」に数値入力して表示させる。なお、上記の各例と同様にして、測定装置３等の「絶縁抵抗測定装置」によって測定された絶縁抵抗値を、操作部１２の操作によって「分岐電路Ｌｂ３についての絶縁抵抗値の入力欄」に数値入力する作業方法を採用することもできる。
【００５６】
続いて、処理部１４は、基幹電路Ｌｍについて測定された電圧値、および分岐電路Ｌｂ３について測定された絶縁抵抗値に基づき、分岐電路Ｌｂ３についての漏れ電流値を演算する。具体的には、処理部１４は、支援処理用プログラムＤｐに基づき、基幹電路Ｌｍについての電圧値を分岐電路Ｌｂ３について絶縁抵抗値で除すことにより、分岐電路Ｌｂ３についての漏れ電流値を演算する（「測定値演算処理」の一例）。次いで、処理部１４は、演算した漏れ電流値を特定可能な電流値データＤａを生成して記憶部１５に記憶させると共に、演算した漏れ電流値を「分岐電路Ｌｂ３についての漏れ電流値の入力欄」に数値入力して表示させる。以上により、検査対象Ｘを構成する各電路Ｌについての「測定値取得処理」が完了する。
【００５７】
また、処理部１４は、分岐電路Ｌｂ３についての漏れ電流値と、基幹電路Ｌｍについての漏れ電流値とを比較する。この際に、基幹電路Ｌｍおよび電路Ｌｂ１，Ｌｂ２において漏電が発生していない状態で分岐電路Ｌｂ３において漏電が発生しているときには、分岐電路Ｌｂ３についての漏れ電流値が基幹電路Ｌｍについての漏れ電流値と一致（または、ほぼ同程度の値）となる。したがって、処理部１４は、分岐電路Ｌｂ３についての漏れ電流値が、基幹電路Ｌｍについての漏れ電流値に対する予め規定された範囲内の値のときに、分岐電路Ｌｂ３において漏電が発生していると特定する（「発生箇所特定処理」のさらに他の一例）。この際に、処理部１４は、支援処理用プログラムＤｐに従い、一例として「分岐電路３において漏電が発生しています。」とのメッセージを表示部１３に表示させる（「発生箇所報知処理」の一例）。
【００５８】
また、分岐電路Ｌｂ１〜Ｌｂ３において漏電が発生していない状態で基幹電路Ｌｍにおいて漏電が発生しているときには、分岐電路Ｌｂ３についての漏れ電流値が、分岐電路Ｌｂ１，Ｌｂ２についての漏れ電流値と同様にして、基幹電路Ｌｍについての漏れ電流値に対する予め規定された範囲よりも小さな値で、正常時に測定され得る電流値の範囲（正常値範囲）内の値となる。この際に、処理部１４は、分岐電路Ｌｂ３において漏電が発生しておらず、基幹電路Ｌｍにおいて漏電が発生していると特定し、一例として、「基幹電路において漏電が発生しています。」とのメッセージを表示部１３に表示させる（「発生箇所報知処理」のさらに他の一例）。
【００５９】
さらに、基幹電路Ｌｍおよび分岐電路Ｌｂ１，Ｌｂ２のいずれかと、分岐電路Ｌｂ３とで漏電が発生しているときには、分岐電路Ｌｂ３についての漏れ電流値が、基幹電路Ｌｍについての漏れ電流値に対する予め規定された範囲よりも小さな値となるものの、正常時に測定され得る電流値の範囲（正常値範囲）よりも大きな値となる。この際に、処理部１４は、分岐電路Ｌｂ３において漏電が発生していると特定する（「発生箇所特定処理」のさらに他の一例）と共に、「分岐電路３において漏電が発生しています。」とのメッセージを表示部１３に表示させる（「発生箇所報知処理」の他の一例）。
【００６０】
この後、処理部１４は、上記の一連の処理によって取得した電流値データＤａ、電圧値データＤｖおよび抵抗値データＤｒと、漏電が発生していると特定した電路Ｌを特定可能な情報とを関連付けて検査結果データＤ１を生成し、生成した検査結果データＤ１を記憶部１５に記憶させて、漏電発生箇所の特定作業を支援する一連の支援処理を終了する。また、上記の処理によって生成された検査結果データＤ１については、携帯情報端末１からインターネット等を介して任意の情報処理端末に転送することで、その情報処理端末において検査対象Ｘの状態（漏電の発生の有無や、いずれの電路Ｌで漏電が発生しているかなど）を特定することが可能となる。
【００６１】
このように、この携帯情報端末１では、処理部１４が、分岐電路Ｌｂ３についての漏れ電流値の測定を行うことができない検査対象Ｘについての漏電発生箇所の特定作業を支援する支援処理において、基幹電路Ｌｍについての漏れ電流値、基幹電路Ｌｍについての電圧値、分岐電路Ｌｂ３についての絶縁抵抗値、および分岐電路Ｌｂ１，Ｌｂ２についての漏れ電流値を「測定値」としてそれぞれ取得する測定値取得処理と、基幹電路Ｌｍおよび各分岐電路Ｌｂのうちのいずれか１つ（本例では、基幹電路Ｌｍ）についての電圧値および分岐電路Ｌｂ３についての絶縁抵抗値に基づいて分岐電路Ｌｂ３についての漏れ電流値を演算する測定値演算処理と、基幹電路Ｌｍについての漏れ電流値および各分岐電路Ｌｂについての漏れ電流値に基づいて基幹電路Ｌｍおよび各分岐電路Ｌｂのいずれにおいて漏電が発生しているかを特定する発生箇所特定処理と、漏電が発生している箇所を特定可能に報知する発生箇所報知処理とを実行可能に構成されている。また、この支援処理用プログラムＤｐでは、上記の各処理を携帯情報端末１の処理部１４に実行させる。
【００６２】
したがって、この携帯情報端末１、検査システム１００および支援処理用プログラムＤｐによれば、漏れ電流値の測定を行うことができない分岐電路Ｌｂ３が存在する検査対象Ｘについても、その分岐電路Ｌｂ３については、測定装置３によって絶縁抵抗値を測定することで、上記のいずれか１つ（本例では、基幹電路Ｌｍ）についての電圧値、および分岐電路Ｌｂ３についての絶縁抵抗値に基づいて通電状態において測定され得る漏れ電流値が演算されるため、種類が相違する測定値（漏れ電流値および絶縁抵抗値）が混在した状態での漏電発生箇所の特定を行う必要がなくなり、検査対象Ｘにおいて漏電が発生しているか否かや、どの程度の漏電が発生しているかなどを容易に特定することができる。これにより、漏電検査に不慣れな作業者であっても、検査対象Ｘにおいて漏電が発生しているかや、いずれの電路Ｌで漏電が発生しているかを確実かつ容易に特定することができる。
【００６３】
また、この携帯情報端末１では、処理部１４が、測定値取得処理において取得した基幹電路Ｌｍについての漏れ電流値が予め規定された値を下回っているときに、検査対象Ｘには漏電発生箇所が存在しないことを特定可能に報知して支援処理を終了する。したがって、この携帯情報端末１、検査システム１００および支援処理用プログラムＤｐによれば、漏電が発生していない状態で実施されることの方が多い漏電検査において、不要な測定処理を行うことなく、正常状態であることを確実かつ容易に特定することができる。
【００６４】
さらに、この携帯情報端末１では、基幹電路Ｌｍについての漏れ電流値が記録された電流値データＤａ、各電路Ｌのうちのいずれか１つ（本例では、基幹電路Ｌｍ）についての電圧値が記録された電圧値データＤｖ、分岐電路Ｌｂ３についての絶縁抵抗値が記録された抵抗値データＤｒ、および分岐電路Ｌｂ１，Ｌｂ２についての漏れ電流値が記録された電流値データＤａを受信可能な通信部１１を備え、処理部１４が、測定値取得処理において、通信部１１によって受信された各データＤａ，Ｄｖ，Ｄｒの値を「測定値」として取得する。また、この検査システム１００では、上記の携帯情報端末１と、検査対象Ｘについての測定処理を実行して電流値データＤａ、電圧値データＤｖおよび抵抗値データＤｒを生成して携帯情報端末１に送信する測定装置２，３とを備えている。
【００６５】
したがって、この携帯情報端末１、検査システム１００および支援処理用プログラムＤｐによれば、測定装置２，３等による測定結果を読み取って携帯情報端末１に手作業で数値入力する処理形態とは異なり、数値の誤入力に起因して本来の測定値とは異なる測定値が取得されることがないため、漏電が発生していない電路Ｌが漏電発生箇所と特定されたり、漏電が発生している電路Ｌが正常（漏電が発生していない）と特定されたりする事態を好適に回避し、いずれの電路Ｌでどの程度の漏電が発生しているかを一層正確かつ一層容易に特定することができる。
【００６６】
なお、「支援装置」および「検査システム」の構成、並びに「支援処理用プログラム」による処理手順については、上記の携帯情報端末１および検査システム１００の構成、並びに支援処理用プログラムＤｐによる処理手順の例に限定されない。
【００６７】
例えば、漏電検査（漏電発生箇所の特定作業）に先立ち、検査対象Ｘを構成する各電路Ｌのなかに漏れ電流値の測定を行うことができない電路Ｌ（上記の例では、分岐電路Ｌｂ３）が存在することを事前登録して検査用データＤ０を生成し、この検査用データＤ０に基づいて漏電検査を支援する構成・処理方法について説明したが、このような構成・処理方法に代えて、上記のような事前登録を行わずに漏電検査を開始させ、基幹電路Ｌｍおよび分岐電路Ｌｂ１〜Ｌｂ３のうちのいずれか１つについての電圧値データＤｖを受信したとき（電圧値データＤｖが測定装置３から送信されたとき）、または、分岐電路Ｌｂ３についての抵抗値データＤｒを受信したとき（抵抗値データＤｒが測定装置３から送信されたとき）に、分岐電路Ｌｂ３についての漏れ電流値を測定することができず、測定値演算処理を実行して「測定値」としての漏れ電流値を演算する必要があると判別して一連の処理を実行する構成・処理方法を採用することもできる。
【００６８】
また、いずれかの分岐電路Ｌｂについての漏れ電流値が基幹電路Ｌｍについての漏れ電流値に対する予め規定された範囲内の値のときや、複数の分岐電路Ｌｂについての漏れ電流値の合計値が基幹電路Ｌｍについての漏れ電流値に対する予め規定された範囲内の値のときに、測定処理が実施されていない電路Ｌが存在しても、それらについての測定処理を実施せずに支援処理を終了する例について説明したが、上記のような状態であっても、検査対象Ｘを構成するすべての分岐電路Ｌｂについての測定処理を実施し、各電路Ｌについての漏れ電流値に基づいて漏電発生箇所を特定する構成・処理方法を採用することもできる。
【００６９】
また、ブルートゥース規格などの近距離無線通信規格に準ずる無線通信によって測定装置２，３から電流値データＤａ、電圧値データＤｖおよび抵抗値データＤｒ等を送信させて携帯情報端末１に取得させる構成・処理方法を例に挙げて説明したが、「支援装置」による「測定装置」からの各「測定値データ」の取得については、ブルートゥース規格以外の無線通信規格に準ずる無線通信（例えば、無線ＬＡＮ等）や、ＵＳＢケーブル等の信号ケーブルを使用した有線通信により行う構成・処理方法を採用することもできる。
【符号の説明】
【００７０】
１００  検査システム
１  携帯情報端末
２，３  測定装置２
２ａ  クランプセンサ
３ａ  テストリード
１１  通信部
１２  操作部
１３  表示部
１４  処理部
１５  記憶部
Ｄ０  検査用データ
Ｄ１  検査結果データ
Ｄａ  電流値データ
Ｄｖ  電圧値データ
Ｄｒ  抵抗値データ
Ｄｐ  支援処理用プログラム
Ｌｂ１〜Ｌｂ３  分岐電路
Ｌｍ  基幹電路
Ｘ  検査対象
【図１】
2020046276.tif 000003